(57)【要約】複数の部分ウェブのペーパーウェブ（０１）を断裁するための装置が、印刷機の出口と、断裁された部分ウェブを折り畳むための折り装置の入口との間に配置されている。断裁装置が、ウォータジェット断裁機構（１０）を備えている。
2004506523.tif 000002
【特許請求の範囲】
【請求項１】
ペーパーウェブ（０１）を複数の部分ウェブに断裁するための装置であって、当該断裁装置が、輪転印刷機において、断裁された部分ウェブを折り畳むための折り装置の入口と印刷装置との間に配置されている形式のものにおいて、
当該断裁装置が、ウォータジェット断裁機構を備えていることを特徴とする、ペーパーウェブを断裁するための装置。
【請求項２】
ウォータジェット断裁機構（１０）を用いてペーパーウェブを断裁するための装置において、
ペーパーウェブ（０１）に対するノズル（４０）の間隔（Ｄ１）が、ノズル（４０）から形成されたジェット（２４）の直径に対して横向きの音の伝播時間の３倍から１０倍までに相当することを特徴とする、ペーパーウェブを断裁するための装置。
【請求項３】
ウォータジェット断裁機構（１０）を用いてペーパーウェブを断裁するための装置において、
ウォータジェット断裁機構（１０）が、３５００ｂａｒよりも大きい水圧、特に３５００ｂａｒから４２００ｂａｒまでの水圧で負荷可能であることを特徴とする、ペーパーウェブを断裁するための装置。
【請求項４】
ウォータジェット断裁機構（１０）を用いてペーパーウェブを断裁するための装置において、
ペーパーウェブ（０１）が、ノズル（４０）から２ｍｍから５ｍｍまでの間隔（Ｄ１）を有して案内されていることを特徴とする、ペーパーウェブを断裁するための装置。
【請求項５】
ウォータジェット断裁機構が、０．１ｍｍの自由な直径を有するノズル（４０）を備えている、請求項１から４までのいずれか１項記載の装置。
【請求項６】
ペーパーウェブ（０１）が、ノズル（４０）から２ｍｍから５ｍｍまでの間隔を有して案内されている、請求項１から３までのいずれか１項記載の装置。
【請求項７】
ペーパーウェブ（０１）が、１４ｍ／ｓから１８ｍ／ｓまでの速度を有している、請求項１から４までのいずれか１項記載の装置。
【請求項８】
ウォータジェット断裁機構（１０）が、３５００ｂａｒよりも大きい水圧、特に３５００ｂａｒから４２００ｂａｒまでの水圧で負荷可能である、請求項１、２または４のいずれか１項記載の装置。
【請求項９】
ペーパーウェブ（０１）に対するノズル（４０）の間隔（Ｄ１）が、ノズル（４０）から形成されたジェット（２４）の直径に対して横向きの音の伝播時間の３倍から１０倍までに相当する、請求項１、３または４のいずれか１項記載の装置。
【請求項１０】
捕捉容器（２５）が、ペーパーウェブ（０１）から５ｍｍから１５ｍｍまでの間隔を有して配置されている、請求項１から９までのいずれか１項記載の装置。
【請求項１１】
捕捉容器（２５）が、ジェット（２４）を制動するための、ジェット方向に対して斜めに配置された少なくとも１つの衝突面（２８）を備えている、請求項１から１０までのいずれか１項記載の装置。
【請求項１２】
ウォータジェット断裁機構（１０）が、列状に配置された複数のノズル（４０）を備えており、全てのノズル（４０）のジェット（２４）を捕捉するために、捕捉容器（２５）が前記ノズル列に沿って延びている、請求項１０または１１記載の装置。
【請求項１３】
捕捉容器（２５）が、負圧で負荷可能である、請求項１０から１２までのいずれか１項記載の装置。
【請求項１４】
複数のペーパーウェブ（０１）が、互いに上下に配置されている、請求項１から１３までのいずれか１項記載の装置。
【請求項１５】
ペーパーウェブが印刷されている、請求項１から４までのいずれか１項記載の装置。
【発明の詳細な説明】
【０００１】
本発明は、請求項１、２、３または４の上位概念に記載した、ペーパーウェブを断裁するための装置に関する。
【０００２】
このようなウェブ断裁装置は、印刷製品の複数の頁が相並んで印刷されるような広幅のウェブを、単頁に相当する部分ウェブにそれぞれ分割するために、多くの生産部数を有するイラスト化された印刷製品および別の形式の印刷製品を印刷するためのたとえば高速輪転印刷機で使用される。このようにして個別化される部分ウェブは、束にして折り装置に供給される。
【０００３】
米国特許第４２６６１１２号明細書から、ウォータジェットを用いて、移動されるウェブを断裁するための装置が公知であり、ここではどの材料からウェブを形成することができるか言及されていない。ペーパーウェブを断裁するためのこの装置の適性は、前掲明細書から読み取ることはできない。なぜならば水を吸い込んで膨潤するという紙の傾向の知識を持った専門家が、この装置を紙の断裁のために使用する場合、紙が水を吸い込み膨潤するということからふまえて始めなければならないという理由による。さらにこの装置は１ｍ／ｓを下回る低いウェブ速度に基づいて、印刷機に対する使用に適していない。
【０００４】
米国特許第５７９７３２０号明細書から、印刷機において紙を成形加工するための装置が公知であり、この装置は、ウォータジェットを、印刷されたウェブにモチーフを切り抜くかまたはモチーフの孔を設けるために使用する。
【０００５】
米国特許第５７３０３５８号明細書から、原材料を断裁するための高圧ウォータジェットを形成するためのノズルの構造が公知である。
【０００６】
国際公開第９７／１１８１４号パンフレットから、ウォータジェットを用いてペーパーウェブの縁部を断裁するための装置が公知である。この装置は紙製作の範囲で使用される。ここでは断裁しようとする紙が残留湿度を有することから出発しているので、場合によっては断裁ジェットから受容された湿気が不都合なものと認識されないようになっている。断裁精度に対する高い要求は課せられない。断裁しようとする紙がまだ印刷されていないので、特に見当合わせ精度が必要でない。
【０００７】
ドイツ連邦共和国実用新案登録第９１０３７４９号明細書には、ウォータジェット断裁機構によってペーパーウェブを断裁するための装置が開示されている。
【０００８】
“Ｔｅｃｈｎｉｓｃｈｅ Ｒｕｎｄｓｃｈａｕ”第１８号、１９７３年５月８日、２５、２７、２９、３１頁には、様々な材料のための断裁パラメータが記載されている。
【０００９】
本発明の課題は、ペーパーウェブを断裁するための装置を提供することである。
【００１０】
この課題は、請求項１、２、３または４の特徴部に記載した構成手段を有する装置によって解決される。
【００１１】
特に本発明によって得られる利点によれば、そのような断裁装置は、スペースを節減する形式で、ペーパーウェブの任意の直線的な経路部分に配置することができ、この場合断裁装置は、ペーパーウェブの直ぐ近くで、断裁機構のジェットノズルの寸法に相当する組込長さしか必要でない。
【００１２】
本発明の装置に対して、印刷機に使用するための公知の断裁装置は、回転するいわゆる上カッタと下カッタとを備えており、これらのカッタの間にペーパーウェブが通過案内される。これらのカッタの一方は、同時にペーパーウェブのための変向ローラを成している。このカッタの運転に際して、カッタの周速度を、分割しようとするペーパーウェブの走行速度に正確に対応させる必要があるので、カッタは、ペーパーウェブに、最新の印刷機の高いウェブ速度状態でペーパーウェブの破損を容易に生じさせ得るような制動力または加速力を及ぼさない。これらのカッタは定期的な保守が必要であり、これによってペーパーウェブが、実際にいつでも正確に切断され、かつ摩滅されるかまたは互いに不都合に調整される刃で破損されないことが保証される。したがって刃は、保守作業員にとってアプローチ可能で、かつ交換可能でなければならない。したがって刃の組込位置に対するアプローチを設ける必要があり、これによって印刷機と断裁のための装置と折り装置とから成る処理区間のために著しく大きな設置場所が必要となる。
【００１３】
別の利点によれば、本発明の装置は従来のカッタ配置構成と比べて僅かな保守しか必要でない。
【００１４】
さらに別の利点によれば、紙を断裁する際に場合によっては発生するダストは、ほとんどウォータジェットによって連行されるので、上カッタと下カッタとから成る断裁装置とは違って、ダストは、ほとんどペーパーウェブの片側でしか発生せず、これに基づいて容易に捕捉することができる。ペーパーウェブの直ぐ近くで作用するダストの吸い出しはもはや必要でない。それぞれカッタの位置でペーパーウェブの全幅にわたって延びている、ダストを吸い出すために使用される従来の吸い出しフードは、断裁装置の所要スペースを高め、かつカッタの保守を追加的に困難にする。これは本発明の装置ではもはや必要でない。
【００１５】
原則として、ペーパーウェブに対する断裁ノズルの間隔は、有利には、ジェット直径に対して横向きの音の伝播時間の３倍〜１０倍に相当する。したがっておそらくノズルから形成される高速ジェットは、走行経路に３つの相で通走しており、第１相では、高速ジェットが干渉性のジェットを形成しており、第２相では、干渉性のジェットが連続する大きな滴に分解し、第３相では、大きな滴が同様に微細の滴に分解する。第１相では、ジェットは、均質の媒体を断裁するのに良好に適しており、個々の滴が間欠的な力を断裁しようとする材料に及ぼす第２相では、ジェットは、たとえ鉱物質の粒状の加工材料または層構造を有する紙から成るスタックのような内部構造を有する媒体を断裁するために適している。
【００１６】
微細な滴への分解が、おそらく空気によるジェットの制動に起因しているのに対して、第１相から第２相へのジェットの移行は、表面張力に基づくものである。一定の直径を有する微細なジェットは、表面張力もしくは表面エネルギの観点で不安定な平衡状態に相当する。直径の最小偏差は増加する傾向にあるので、ジェットは締め付けられ、個々の滴に分解される。締め付けが進行する速度は、必要な場合、ジェットの圧力作用が伝播する速度に対して比例しており、つまりジェットの音速に対して比例している。断裁実験によれば、第１相から第２相への移行は、ノズルから、それぞれジェットの直径に対して横向きの音の伝播時間の３倍〜１０倍の間に相当する距離で行う必要があり、すなわち、
３・ｃ・ｄ＜ｖ・Ｄ１＜１０・ｃ・ｄ（ｃ＝水中の音速、ｄ＝ジェット直径、ｖ＝ジェット速度、Ｄ１＝ノズルとペーパーウェブとの間の間隔）が成り立つ。
【００１７】
特に音の伝播時間の３倍を下回る、短すぎる作業間隔は有利ではない。おそらくこの理由は、ジェット方向に対して横向きの水の速度分布に存在する。水が、ノズルを通って移動する間は、ノズル孔の中央の流れ速度は、摩擦によって水が孔の壁で制動されるところの縁部よりも著しく大きくなっている。この速度分布は、ジェットが孔から流出する際に摩擦がなくても当初は維持され、ある程度の最低距離区間のあとで、ジェットの速度分配は、ジェットの縁部領域も確実に完全な断裁作用が展開されるまで、均一化される。
【００１８】
断裁ジェットのための捕捉容器は、ウェブの、ノズルとは反対側で、ウェブから５ｍｍ〜１５ｍｍの間隔を有して配置されている。そのような間隔は、一方ではウェブを貫通して進入するジェットを確実に捕捉するために、十分に小さく、他方では場合によっては生じるウェブの張力変動の際にウェブが捕捉容器に押圧されるのを防止するために、十分に大きくなっている。
【００１９】
捕捉容器は、一方では断裁ジェットを確実に制動し、同時に他方では制動時に生じる水しぶきがウェブに向かって捕捉容器から流出するのを防止するように構成するのが望まれている。さらにジェットが捕捉容器において断裁作用を展開する、ということを防止するのが望まれている。このために捕捉容器は、ジェットを制動するための、ジェット方向に対して斜めに配置された少なくとも１つの衝突面を備えている。そのように傾斜付けされた配置構成では、ジェットの、衝突面に対して垂直の速度成分だけしか、断裁作用を展開することができない。このような成分は、ジェットが衝突面の表面法線と共に形成する角度のコサインに対して比例するものである。
【００２０】
断裁作用を制限するために役立つ別の実施形態によれば、ジェットが第３相で初めて衝突面に到達するように、ノズルと衝突面との間の間隔をが選択することができる。
【００２１】
本発明の有利な実施形態によれば、断裁装置が、ウェブを同時に多数の部分ウェブに断裁するための列状に配置されたノズルを備えている。この場合有利には、全てのノズルのジェットを捕捉するために、捕捉容器がノズル列に沿って延びている。
【００２２】
捕捉容器から水しぶきが流出するのを確実に防止するためと、場合によっては断裁時に飛散する水もジェットと一緒に排出するために、有利には、捕捉容器が負圧で負荷可能である。
【００２３】
ウェブ断裁装置は、上下に重なって層形成された複数の紙層から成るウェブを断裁するためにも使用可能である。そのような場合ノズルとウェブとの間の間隔は、ジェットが第２相でウェブに衝突するのを保証するために、前述の間隔インターバルのできるだけ上位の領域に選択される。
【００２４】
次に本発明の実施例を図示し、詳しく説明する。
【００２５】
図１には、本発明の断裁装置が断面図で示されている。このウェブ断裁装置は、折り装置の上部構造の上方に配置されており、したがって折り装置が設置されたホールのフロアから数メートルの高さで位置している。ウェブ断裁装置は、折り装置と同様にホールのフロアに隣接設置された輪転印刷機のペーパーウェブ０１を受け取る。輪転印刷機、上部構造および折り装置は、任意の公知の構造形式のものであってよい。したがってこれらは図示せず、詳しく説明しない。
【００２６】
ペーパーウェブ０１は奥行きをもって位置する印刷機から、下方から斜めに矢印０２方向で断裁装置に走行する。そこでペーパーウェブ０１は、複数のローラ０３；０４；０５；０６に案内され、これらのローラは、断裁装置の２つの側壁の間にそれぞれ保持されている。これらのうちの一方の側壁０７が図示されている。
【００２７】
複数のローラのうちの１つは、ペーパーウェブ０１の断裁差を補償するために変位可能な軸を備えた調節ローラ０４であり、別の１つは、ウェブ張力を調節するための被駆動式の引張ローラ０５であり、それ以外にガイドローラ０６が設けられている。ガイドローラ０６から出発して、ペーパーウェブ０１は、水平方向で通行可能なギャラリ８を介してガイドローラ０９に案内されている。ギャラリ０８によって、作業員は、そこで保守作業を行うかもしくは新たなペーパーウェブを断裁装置に引き込むために、断裁装置の幾つかのローラに対してアプローチすることができる。ウォータジェット断裁機構１０は、ペーパーウェブ０１の水平区分１１で、２つのローラ０６；０９の間に取り付けられている。ウォータジェット断裁機構１０は、ペーパーウェブ０１を複数の部分ウェブに分割し、これらの部分ウェブは、ガイドローラ０９の下流側でガイドローラ１２上に広げられ、続いてターニングバー１３に案内され、そこから部分ウェブは９０°回動され、下方へ折り装置の上部構造に供給される。
【００２８】
図１には、判りやすくするという理由から、単にそれぞれ５つのガイドローラ１２と５つのターニングバー１３とが示されている。３．６０メートルのサイズの典型的な幅を有するペーパーウェブ０１を用いた実際の使用では、ガイドローラおよびターニングバーの数は１３である。
【００２９】
ウォータジェット断裁機構１０は、多数のノズルホルダ２０を備えており、これらのノズルホルダに、図示されていない高圧ポンプもしくは変圧器から、３５００〜４２００ｂａｒの圧力、典型的には３８００ｂａｒの圧力を有する水が供給され、さらにウォータジェット断裁機構１０は、高圧ウォータジェットを成形するための、図４に詳しく示されたノズルを備えており、これらのノズルは、側壁の間でウェブ断裁装置の全幅にわたって延びている。
【００３０】
図２には、図１の断裁装置の一部が平面図で示されており、この図２には、支持ロッド２１が、留め具２３によって支持ロッド２１に取り付けられた４つのノズルホルダ２０と共に示されている。
【００３１】
図３には、図１のウォータジェット断裁機構１０が詳しく示されている。ノズルホルダ２０は、金属製で円筒形の中空体であり、上部の端部に供給管路２２がねじ留めされており、この供給管路２２を介してノズルホルダ２０はポンプからの高圧水で負荷可能である。ノズルホルダ２０の下位端部に、０．１ｍｍの流出直径を有するノズル４０が設けられており、このノズル４０を通って、矢印方向で搬送されるペーパーウェブ０１を断裁するための高圧ウォータジェット２４が流出する。ジェット２４の流出速度は、ノズルの上流側の水圧によって規定され、３８００ｂａｒの負荷では、約８００ｍ／ｓの流出速度が生じ、これは水中の音速１５００ｍ／ｓの半分よりも大きい。
【００３２】
ここで使用される０．１ｍｍのノズル直径もしくはジェット直径では、ジェット２４の一方の側から対向する側に向かう圧力信号もしくは音信号の伝播時間は約０．６７μｓである。この時間に、ジェット２４は約０．５４ｍｍの距離を進行する。第１相から第２相へのジェット２４の移行が、ジェット２４の種々異なる領域の相互作用を前提としており、これはジェット２４において音速よりも速く伝搬することがないので、音信号が、ジェット２４の対向する側の間を数回往復伝播する時間を持たない限りは、第２相への移行は行うことができない。往復伝播ごとの間に、ジェット２４は約１ｍｍ進行する。したがって図３に示されたように、単層のペーパーウェブ０１を断裁するために、ノズル４０とペーパーウェブ０１との間の作業間隔Ｄ１は、ジェット方向に対して横向きの音の５〜６の伝播時間に相当する時間にジェット２４が進行する間隔、有利には約３ｍｍの間隔に選択される。
【００３３】
ジェット２４がペーパーウェブ０１を貫通したあとで、ジェット２４は捕捉容器２５に進入し、この捕捉容器２５の上面は、ペーパーウェブ０１から約１０ｍｍの間隔Ｄ２で、ペーパーウェブ０１に対して横向きに延びており、各ノズル４０に対向してジェット２４のための受容開口２７をそれぞれ備えている。捕捉容器２５は、受容開口２７と流出開口３０とを除いてほぼ閉鎖された室を形成しており、この室はペーパーウェブ０１の走行方向に対して横向きに延びている。受容開口２７の直径は、表面２６とペーパーウェブ０１との間の間隔Ｄ２にほぼ相当するので、ペーパーウェブ０１の貫通の際にも、場合によっては生じる、ジェット、紙塵および水しぶき（水飛沫）の、側方に変向された部分は、受容開口２７によって確実に捕捉される。
【００３４】
捕集容器２５の内側で、ジェット２４は、たとえば鋼薄板の構成をした衝突面２８に衝突する前に、約１０〜１５ｃｍ進行し、その表面法線は、ジェット２４と４５°またはそれを上回る角度αを形成する。衝突面２８とノズル４０との間の間隔は、この間隔の途中でペーパーウェブ０１と空気とによって制動されるジェット２４が衝突面２８でもはや取り上げるに値する断裁作用を及ぼさないように、選択されている。第２の衝突面２９は、捕捉容器２５のケーシングの一部である。この衝突面２９は、第１の衝突面２８で制御されたジェット水の大部分が衝突するように配置されている。
【００３５】
衝突面２８と衝突面２９とから、水は、捕捉容器２５の底部に向かって流出し、この底部は流出開口３０に対して急傾斜の一種の雨樋形状で成形されている。流出開口３０を通って、水は、単に重力によって流出することができる。しかも追加的にサクションポンプ（図示せず）を流出開口に接続することもでき、これによって、サクションポンプが必要とされる場合、ジェット２４がペーパーウェブ０１を断裁する区域から、水しぶきおよび／または紙塵をそれぞれ捕捉容器２５に吸い込むことができる。ジェット２４の高いインパルスに基づいて生じるそのような水しぶきおよび紙塵は、大体において、ペーパーウェブ０１のノズル４０とは反対側でしか生じないので、水しぶきおよび紙塵の側での吸込は、ほぼ十分に満足できるものであり、ノズル４０側における第２の吸込装置は省略することができる。
【００３６】
図４には、ジェット２４を成形するノズル４０を備えたノズルホルダ２０の下位領域構造の実現可能な１実施例が示されている。ノズルホルダ２０は、中央の長手通路４１を備えた、金属たとえばステンレス鋼から成るほぼ円筒形の本体として形成されており、この長手通路４１は（図４には示されていない）上位端部で供給管路２２と接続されている。ノズルホルダ２０の下位端部で、長手通路４１は下方に向かって開放する、拡張された円筒形区分４２に通じており、円筒形区分４２の内壁は雌ねじ山を備えている。この雌ねじ山にインサート４３がねじ込まれており、このインサート４３は、下位の円筒形区分と上位の円錐台形区分４４とを備えている。下方に向かって先細に形成された孔４５は、長手通路４１をインサート４３に延長している。
【００３７】
硬質合金から成るリングであるノズル４０は、先細に形成される孔４５の底部における肩部４９に載設されている。この位置でノズル４０は、シールリング５０によって固定されており、このシールリング５１は、孔４５に作用する水圧によって、ノズルと同様に肩部４９に押圧され、そのようにしてノズル４０のセンタリングが得られる。ノズル４０は０．１ｍｍの微細な直径を有している。この直径は、紙を断裁するために特に適している。なぜならば一方では小さな直径によって、ノズル４０の僅かな水流量が生じ、ひいては断裁された紙が湿されるリスクが僅かにしか生じず、他方ではジェットのインパルスが、予備印刷が行われる際に、ペーパーウェブ０１を高いウェブ速度でも確実に分離させるためにまだ十分に高くなっているからである。
【００３８】
円錐台形区分４４は、シャープなエッジ５１で終了しており、このエッジ５１はインサート４３をねじ込む際に、拡張された区分４２の端面４６に押圧され、これによってシールを、たとえば冷間溶接によって、ノズルホルダ２０とインサート４３との間に形成することができる。そのようなシールを簡略化するまたは改善するために、軟質金属たとえば銅から成るリング４７は、図４に示唆されたように、エッジ５０の領域において端面４６に挿入することができる。
【００３９】
インサート４３とノズルホルダ２０との間のシールが完全でない場合のために、リング状の中空室４８がノズルホルダ２０に設けられており、この中空室４８は円錐台形区分４４をリング状に取り囲み、かつエッジ５１と上位の内面との間を通過する水を受容する。中空室４８は、半径方向の孔５２を介して周囲と接続されており、この孔５２を通って水は流出可能である。この水はいずれの場合でも断裁しようとするペーパーウェブ０１に滴下してはならないので、孔５２は外側に向かって管片５３によって延長されており、この管片５３に水を導出するためのチューブ５４が被せ嵌められている。中空室４８における水は実質的に大気圧で存在するので、チューブ５４の耐圧性と、管片５３への取り付けとに関して特別な要求は課せられてない。たとえばチューブ５４を取り付けるために、簡単なチューブ留め具で十分である。
【００４０】
図５には、本発明の断裁装置のさらなる使用例が概略図で示されており、ここでは装置全体が符号６０で示されている。ここでは本発明に基づいて、断裁装置６０の入口で、複数の印刷機６１からのペーパーウェブ０１が上下に重なっており、つまり複数の単個ウェブから層形成された多層式のペーパーウェブ０１′が断裁装置によって断裁される。このようにして断裁装置の出口で、多層式の部分ウェブが得られ、たとえば所与のページ数を構成するために、折り装置６３の上部構造６２でまとめる必要のある部分ウェブの数は減少されている。しかも断裁された多層状の部分ウェブは、上部構造を介在させることなく直接折り装置６３に供給することも考えられる。
【００４１】
多層状のペーパーウェブ０１′を断裁するために、有利には、ジェット２４が第２相に位置しており、したがってノズル４０とペーパーウェブ０１′との間の間隔は、図３に関して既に述べた間隔よりも大きく選択されており、この間隔は、ジェット方向に対して横向きに音の伝播時間の１０倍までの値を占めることができる。
【図面の簡単な説明】
【図１】本発明の装置の概略図である。
【図２】図１の装置の一部の平面図である。
【図３】図１の断裁装置の拡大図である。
【図４】本発明の装置に使用されるノズルを示す軸方向断面図である。
【図５】本発明の装置の別の実施例を示す図である。
【符号の説明】
０１　ウェブ、　０２　矢印、　０３　ローラ、　０４　調整ローラ、　０５　引張ローラ、　０６　ガイドローラ、　０７　側壁、　０８　ギャラリ、　０９　ガイドローラ、　１０　ウォータジェット断裁機構、　１１　水平区分、　１２　ガイドローラ、　１３　ターニングバー、　２０　ノズルホルダ、　２１　支持ロッド、　２２　供給管路、　２３　留め具、　２４　ジェット、　２５　捕捉容器、　２６　上面、　２７　受容開口、　２８　衝突面、　２９　衝突面、　３０　流出開口、　４０　ノズル、　４１　長手通路、　４２　円筒形区分、　４３　インサート、　４４　円錐台形区分、　４５　孔、　４６　端面、　４７　リング、　４８　中空室、　４９　肩部、　５０　エッジ、　５１　シールリング、　５２　孔、　５３　管片、　５４　チューブ、　６０　断裁装置、　６１　印刷機、　６２　上部構造、　６３　折り装置、　Ｄ１　間隔、　Ｄ２　間隔、　α　角度、　ｃ　水中の音速、　ｄ　ジェット直径、　ｖジェット速度、　Ｄ１　ノズルとペーパーウェブとの間の間隔
【国際公開パンフレット】
2004506523.tif 000003
2004506523.tif 000004
2004506523.tif 000005
2004506523.tif 000006
2004506523.tif 000007
2004506523.tif 000008
2004506523.tif 000009
2004506523.tif 000010
2004506523.tif 000011
2004506523.tif 000012
2004506523.tif 000013
2004506523.tif 000014
2004506523.tif 000015
2004506523.tif 000016
2004506523.tif 000017
2004506523.tif 000018
2004506523.tif 000019
2004506523.tif 000020
2004506523.tif 000021
2004506523.tif 000022
2004506523.tif 000023
2004506523.tif 000024
2004506523.tif 000025
【国際調査報告】
2004506523.tif 000026
2004506523.tif 000027
2004506523.tif 000028
2004506523.tif 000029